【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
少なくとも第1のSIMおよび第2のSIMを含む複数の着脱式SIMを収容するように構成されたマルチSIM(multi-SIM: multiple-subscriber identification module)ワイヤレス装置上でワイヤレス通信の品質を維持するための方法であって、
前記第1のSIMと関連付けられた第1のネットワーク上で第3者装置との第1のアクティブコールを確立するステップと、
前記第1のアクティブコールが前記第2のSIMと関連付けられた第2のネットワークへ伝送されるべきか否かを決定するステップと、
前記第1のアクティブコールが前記第2のネットワークへ伝送されるべきものと決定されることに応じて、前記マルチSIMワイヤレス装置、前記第2のSIMと関連付けられた前記第2のネットワーク、および前記第3者装置間の多者会議コールを、前記第1のSIMと関連付けられた前記第1のネットワークを通して確立するステップと、
前記第2のSIMと関連付けられた前記第2のネットワークを通して前記多者会議コールが前記マルチSIMワイヤレス装置と前記第3者装置との間の新たなアクティブコールになるように前記第1のアクティブコールをリリースするステップと
を含む方法。
【請求項２】
前記多者会議コールを確立するステップは、
前記第1のSIMにページング信号を送信するように前記第2のSIMと関連付けられた前記第2のネットワークをトリガーするステップと、
前記第1のアクティブコールを待機状態にするステップと、
前記第2のSIMと関連付けられた前記第2のネットワークからの前記ページング信号に応じて、第2のアクティブコールを確立するステップと、
前記第1のアクティブコールを待機状態から解除するステップと
を含む請求項1に記載の方法。
【請求項３】
前記第1のアクティブコールが前記第2のネットワークへ伝送されるべきか否かを決定するステップは、
前記マルチSIMワイヤレス装置での第1のネットワーク接続の無線チャネル状態をモニタリングするステップと、
前記第1のネットワーク接続の前記無線チャネル状態に基づいて、前記第1のネットワーク接続が十分に低下したか否かを決定するステップと
を含む請求項2に記載の方法。
【請求項４】
前記第1のネットワーク接続の無線チャネル状態をモニタリングするステップは、
前記第1のネットワークの待機されたセルの無線チャネルについて受信信号強度をモニタリングするステップと、
前記第1のネットワークの前記待機されたセルについて受信信号強度インジケータ、RSSI値を算出するステップと
を含む、または、
前記第1のネットワーク接続の無線チャネル状態をモニタリングするステップは、前記第1のネットワークの受信された無線信号のキャリアに対する雑音比をモニタリングするステップを含む請求項3に記載の方法。
【請求項５】
前記第1のネットワーク接続が十分に低下したか否かを決定するステップは、
前記第1のネットワークの前記待機されたセルについて算出されたRSSI値をコール失敗しきい値と比較するステップを含む請求項4に記載の方法。
【請求項６】
前記第1のネットワークの前記セルについて算出されたRSSI値が前記コール失敗しきい値未満であるか否かを決定するステップをさらに含む、または、前記コール失敗しきい値は、前記マルチSIMワイヤレス装置により受信されたユーザ入力に基づいて決定される請求項5に記載の方法。
【請求項７】
前記第1のSIMに前記ページング信号を送信するように前記第2のSIMと関連付けられた前記第2のネットワークをトリガーするステップは、
前記算出されたRSSI値がトリガーしきい値未満であるものと決定されることに応じてタイマーを開始するステップと、
前記タイマーが終了されたか否かを決定するステップとを含み、
前記タイマーの終了時、前記ページング信号を送信するように前記第2のSIMと関連付けられた前記第2のネットワークをトリガーするステップが遂行される請求項6に記載の方法。
【請求項８】
前記タイマーが作動中であるか否かを決定し、前記第1のネットワークの前記セルについて算出されたRSSI値が前記トリガーしきい値未満でないものと決定されることに応じて前記タイマーを取消すステップをさらに含む、または、前記タイマーの持続時間は、前記マルチSIMワイヤレス装置により受信されたユーザ入力に応じてあらかじめ設定される請求項7に記載の方法。
【請求項９】
前記トリガーしきい値は、前記コール失敗しきい値に等しい、または、前記トリガーしきい値は、前記コール失敗しきい値とは独立的である請求項8に記載の方法。
【請求項１０】
前記第1のネットワーク接続が十分に低下したか否かを決定するステップは、
前記第2のネットワークの待機されたセルについて受信信号強度をモニタリングするステップと、
前記第2のネットワークの前記待機されたセルの無線チャネルについてRSSI値を算出するステップと、
前記第1および第2のネットワークの前記待機されたセルについて算出されたRSSI値を比較するステップと
をさらに含む請求項5に記載の方法。
【請求項１１】
前記第1のアクティブコールが前記第2のネットワークへ伝送されるか否かを決定するステップは、前記第2のSIMがアイドル状態であるか否かを決定するステップをさらに含む請求項10に記載の方法。
【請求項１２】
前記第1のアクティブコールが前記第2のネットワークへ伝送されるか否かを決定するステップは、前記第1のネットワーク内の1つまたは複数の隣接するセルから前記マルチSIMワイヤレス装置により十分な信号が受信されるか否かを決定するステップを含み、
前記第1のネットワーク内の1つまたは複数の隣接するセルから前記マルチSIMワイヤレス装置により十分な信号が受信されるものと決定されることに応じて、前記第1のアクティブコールは、前記第1のネットワーク上で維持され隣接するセルにハンドオフされる請求項1に記載の方法。
【請求項１３】
前記第1のアクティブコールをリリースするステップは、Explicit Call Transfer、ECT付加サービス要求を含むメッセージを前記第1のネットワークのコンポーネントに送信するステップを含む、または、
前記マルチSIMワイヤレス装置は、デュアルSIMデュアルアクティブ、DSDAワイヤレス通信装置である、または、
前記第1のネットワークにより実施されるチャネルアクセス方法は、前記第2のネットワークにより実施されるチャネルアクセス方法と異なる、または、
前記第1のSIMと前記第2のSIMとの間のコール伝送を無効にするように選択可能なオプションを、ユーザインターフェースを通して提示するステップをさらに含み、
前記第1のアクティブコールが前記第2のネットワークへ伝送されるか否かを決定するステップは、前記第1のSIMと前記第2のSIMとの間のコール伝送を無効にするユーザ入力が受信されたか否かを決定するステップを含み、
前記コール伝送オプションが無効にされたものと決定されることに応じて、前記第1のアクティブコールが前記第1のネットワーク上に維持される請求項1に記載の方法。
【請求項１４】
前記第1のSIMと前記第2のSIMとの間のコール伝送を無効にするように選択可能なオプションを、前記ユーザインターフェースを通して提示するステップは、1セットの基準を満たすコールについてのコール伝送を無効にするように選択可能なオプションを提示するステップを含む請求項13に記載の方法。
【請求項１５】
前記マルチSIMワイヤレス装置の現在位置を決定するステップと、
前記マルチSIMワイヤレス装置の現在位置に基づいて第1のネットワーク接続が十分に低下するか否かを予測するステップと
をさらに含む請求項1に記載の方法。
【請求項１６】
前記第1のネットワーク接続が十分に低下するか否かを予測するステップは、前記第1のネットワークについての低品質受信ゾーンのデータベースにアクセスすることによって遂行される、または、
前記第1のネットワーク接続が十分に低下するか否かを予測するステップは、前記第1のネットワークを通した前記マルチSIMワイヤレス装置上の以前の通信からの格納された記録を用いて遂行される請求項15に記載の方法。
【請求項１７】
少なくとも第1のSIMおよび第2のSIMを含む複数の着脱式SIMを収容するように構成されたマルチSIM(multi-SIM: multiple-subscriber identification module)ワイヤレス装置であって、請求項1から16のいずれか一項に記載のステップを実行するように構成されるマルチSIMワイヤレス装置。
【請求項１８】
請求項1から16のいずれか一項に記載のステップを実行するように構成されたプロセッサ実行可能命令語を格納した非一時的プロセッサ読取り可能記憶媒体。